(57)【要約】【課題】直感的に使用でき、かつ設置が容易である照明制御装置を提供する。【解決手段】照明システム（３００）は、光源（３２０）と、入力電力（３５０）を受けて切り換え電力を給電するようになっているスイッチ（３１０）とを備える。制御モジュール（３４０）は、切り換え電力を受け、光源（３２０）を制御するようになっており、この制御モジュール（３４０）は、更に所定時間内の２回以上、例えば２回のスイッチ（３１０）の切り換えに応答し、光源（３２０）に切り換え電力を給電するようになっている。【選択図】図３
2009536779.tif 000002
【特許請求の範囲】
【請求項１】
光源（３２０）と、
入力電力（３０５）を受け、切り換え電力を給電するように構成されたスイッチ（３１０）と、
前記切り換え電力を受け、前記光源（３２０）を制御するようになっている制御モジュール（３４０）とを備え、前記制御モジュール（３４０）は、更に所定の時間内の前記スイッチ（３１０）の２回以上の切り換えに応答し、前記光源（３２０）に前記切り換え電力を給電するようになっている照明システム（３００）。
【請求項２】
前記所定の時間は、１００ｍｓ〜１秒の間である、請求項１に記載の照明システム（３００）。
【請求項３】
前記所定の時間は、前記入力電力（３０５）を遮断する電力グリッチを除去するのに適している、請求項１に記載の照明システム（３００）。
【請求項４】
前記制御モジュール（３４０）は、前記光源（３２０）および前記スイッチ（３１０）のうちの少なくとも一方の環境が照明を減少させたときに、更に前記光源（３２０）への前記切り換え電力を給電するようになっている、請求項１に記載の照明システム（３００）。
【請求項５】
前記照明の減少を検出するようになっているセンサ（３８０）を更に備える、請求項４に記載の照明システム（３００）。
【請求項６】
前記制御モジュール（３４０）は、前記入力電力（３０５）が連続してオンのままになっているときに、更に前記光源（３２０）への前記切り換え電力を給電するようになっている、請求項１に記載の照明システム（３００）。
【請求項７】
前記制御モジュール（３４０）は、少なくとも１つの追加制御モジュール（３４０’）が別の切り換え電力から給電される電力を連続的に受けているときに、前記切り換え電力を前記光源（３２０）へ給電するようになっている、請求項１に記載の照明システム（３００）。
【請求項８】
前記制御モジュール（３４０）および前記少なくとも１つの追加制御モジュール（３４０’）の電力入力をモニタするようになっているシステムコントローラ（３６０）を更に含む、請求項７に記載の照明システム（３００）。
【請求項９】
前記光源（３２０）をオンオフに切り換えるように、前記制御モジュール（３４０）を制御するようになっているリモコン（３５０）を更に備える、請求項１に記載の照明システム（３００）。
【請求項１０】
光源（３２０）と、
前記切り換え電力を受け、前記光源（３２０）を制御するようになっている制御モジュール（３４０）とを備え、前記制御モジュール（３４０）は、更に所定の時間内のスイッチ（３１０）の順次の切り換えに応答し、前記光源（３２０）に前記切り換え電力を給電するようになっている照明システム（３００）。
【請求項１１】
前記スイッチ（３１０）は、入力電力（３０５）を受け、前記切り換え電力を給電するようになっている、請求項１０に記載の照明システム（３００）。
【請求項１２】
前記所定時間は、１００ｍｓ〜１秒の間である、請求項１０に記載の照明システム（３００）。
【請求項１３】
前記所定の時間は、前記入力電力（３０５）を遮断する電力グリッチを除去するのに適している、請求項１０に記載の照明システム（３００）。
【請求項１４】
前記制御モジュール（３４０）は、前記光源（３２０）および前記スイッチ（３１０）のうちの少なくとも一方の環境が照明を減少させたときに、更に前記光源（３２０）への前記切り換え電力を給電するようになっている、請求項１０に記載の照明システム（３００）。
【請求項１５】
前記照明の減少を検出するようになっているセンサ（３８０）を更に備える、請求項１４に記載の照明システム（３００）。
【請求項１６】
前記制御モジュール（３４０）は、前記入力電力（３０５）が連続してオンのままになっているときに、更に前記光源（３２０）への前記切り換え電力を給電するようになっている、請求項１０に記載の照明システム（３００）。
【請求項１７】
前記制御モジュール（３４０）は、少なくとも１つの追加制御モジュール（３４０’）が別の切り換え電力から給電される電力を連続的に受けているときに、前記切り換え電力を前記光源（３２０）へ供給するようになっている、請求項１０に記載の照明システム（３００）。
【請求項１８】
前記制御モジュール（３４０）および前記少なくとも１つの追加制御モジュール（３４０’）の電力入力をモニタするようになっているシステムコントローラ（３６０）を更に含む、請求項１７に記載の照明システム（３００）。
【請求項１９】
前記光源（３２０）をオンオフに切り換えるように、前記制御モジュール（３４０）を制御するようになっているリモコン（３５０）を更に備える、請求項１０に記載の照明システム（３００）。
【請求項２０】
所定の時間内にスイッチ（３１０）を２回切り換える工程と、
前記切り換え工程に応答し、光源（３２０）に給電する工程とを備える、光源を制御する方法。
【発明の詳細な説明】
【技術分野】
【０００１】
本発明は、例えば所定時間内の２回以上のスイッチの切り換えに応じてライトをオンにするための照明システムおよび方法に関する。
【背景技術】
【０００２】
図１および２は、代表的な照明システム１００および２００をそれぞれ示す。家庭またはオフィスにおける元々の照明システムは、配線されたシステムであり、このシステムでは、幹線電源、米国ではＡＣ１１０Ｖ、多くの他の国ではＡＣ２２０Ｖに、スイッチ１１０、２１０が配線されている。これらスイッチ１１０、２１０は、更に配線１１５、２１５によって光源または光源を含む照明設備１２０、２２０、例えば図１に示される天井に位置する照明設備１２０に接続されている。上記に加え、または上記とは異なり、図２に示されるようにスイッチ２１０は、配線２１５により壁コンセント２３０（スイッチコンセントと称される）にも接続できる。この場合、光源／照明設備２２０はスイッチコンセント２３０へプラグ挿入される。スイッチ１１０、２１０をＯＮ／ＯＦＦに切り換えると、電源もＯＮ／ＯＦＦされ、よって光源１２０、２２０もＯＮ／ＯＦＦされる。
【発明の開示】
【発明が解決しようとする課題】
【０００３】
フレキシビリティを更に増すために、例えばライトを遠隔的にＯＮ／ＯＦＦするよう、家庭用の新しい照明システムが増設される。家庭用の新しいほとんどのこれら照明制御システムは、プロの設置者ではなく消費者自身によって設置されている。この結果、現在の／元々の照明システムは、新しいシステムにリンクされないことになる。元々の照明システムを拡張する際には、２つのシステムを効果的にリンクすることなく、増設される制御および／または照明システムに対し、現在の／元々の照明制御システムが並列になっていることに起因し、多数の問題が生じる。現在の制御装置と効果的に統合することなく、照明制御装置を増設すると、元々の照明制御システムと新しい照明制御システムの双方によってライトを制御する際に、ユーザーが混乱したり、制御が困難となったりする。
【０００４】
例えば（図１、２に示されるように）元々のスイッチ１１０、２１０を介して光源が切り換えられ、消費者が新しいモジュールに接続された光源の（遠隔的）制御を可能にする新しいモジュールに光源を置き換えた場合、スイッチ１１０、２１０を介して新しいモジュールに給電されることになる。スイッチ１１０、２１０は、幹線電源（例えばＡＣ１１０Ｖ）からの切り換え電力または他の電源、例えば幹線電源から変換／誘導されたＤＣ電力を給電する。ライト１２０、２２０をオフにするため、スイッチ１１０、２２０をＯＦＦに切り換えると、新しいモジュールへの電力もオフにされるので、潜在的に問題が生じる。
【０００５】
新しい照明制御システムに慣れていない訪問者がいる場合、このような問題および混乱は消費者にとってより大きいものとなる。訪問者は、図１、２に示されるように通常ドアのコーナーのまわりにあるスイッチを１回切り換えれば、暗い部屋のライトがオンになると予想する。訪問者は、新しいライト制御システムについて知らないので、例えばスイッチ１１０、２２０をＯＮ位置に一回切り換えてもライトがオンにならないので驚くことになる。例えばプロの設置者の代わりに消費者がシステムを設置できるという利点が得られても、新しい制御システムの電源がオフになったり（後述するように）新しい制御システムが故障したりするだけでなく、壁のスイッチ１１０、２２０を恐らくはＯＮ位置に１回切り換えたときにライトをＯＮにできないことも含む上記のような問題がかえって生じてしまう。
【０００６】
従って、設置および使用が容易であり、ユーザーの混乱を最小にできる新しい照明制御システムが求められている。従って、本システムおよび方法の目的は、直感的に使用でき、かつ設置が容易である照明制御装置を提供することにある。
【課題を解決するための手段】
【０００７】
上記およびそれ以外の目的は、光源と、入力電力を受けて切り換え電力を給電するようになっているスイッチとを備えたシステムおよび方法によって達成される。制御モジュールは切り換え電力を受け、光源を制御するようになっており、この制御モジュールは更に所定時間内の２回以上、例えば２回のスイッチの切り換えに応答し、光源に切り換え電力を給電するようになっている。
【０００８】
本システムおよび方法は、例えばライトをオンに切り換えたいという意図がある場合の、エンドユーザーの予想行動を利用するものである。ライトがオフになっているときに、ユーザーがライトをオンに切り換えたい場合、ユーザーはライトのスイッチを１回切り換える。ライトのスイッチの１回の切り換えに応答し、新しいライト制御モジュールの電力がカットオフまたは遮断された場合、ライトは新しいライト制御モジュールに関連するリモコンが附勢されてもオンにならず、オフのままである。しかしながら、一般的なユーザーは、どうしてライトがオンに切り換えられなかったか疑問に感じるので、ライトのスイッチを再び切り換える。制御モジュールは、このようなスイッチの２回以上の切り換えのシーケンスを検出し、ライトをオンにするようになっている。
【０００９】
以下に記載する詳細な説明から、本システムおよび方法を適用できる別の分野が明らかとなろう。本発明のシステムおよび方法の実施形態を示す詳細な説明および特定の例は、単に本発明を説明するためのものであり、発明の範囲を限定するものではない。
【００１０】
次の説明、特許請求の範囲および添付図面から、本発明の装置、システムおよび方法の上記およびそれ以外の特徴、様相および利点についてより良好に理解できよう。
【００１１】
所定の実施形態の次の説明は、実際には単に例にすぎず、本発明、その用途および使用を決して限定するものではない。本システムおよび方法の実施形態の次の詳細な説明では、発明の一部を形成し、本明細書に説明するシステムおよび方法を実施できる特定の実施形態が例として示されている添付図面を参照する。これら実施形態は、現時点で開示するシステムを当業者が実施できるように十分詳細に記載されており、本発明の要旨から逸脱することなく、他の実施形態を利用できること、および構造的および論理的変更を行うことができると理解すべきである。
【００１２】
従って、次の詳細な説明は、本発明を限定するものと見なしてはならず、本システムの範囲は特許請求の範囲のみによって定義される。図面に示された参照番号の最初の数字は、一般に図面の番号に対応するが、多数の図に記載されている同じ部品は、同じ参照番号で識別されていることを例外とする。更に明確にするために、周知のデバイス、回路および方法の詳細な説明については、本明細書の説明を不明瞭にしないように、省略する。
【発明を実施するための最良の形態】
【００１３】
図３は、インテリジェント制御モジュール３４０を含む一実施形態に係わる照明システム３００を示す。特にスイッチ３１０は切り換えに応答し、電源をＯＮ／ＯＦＦに切り換えるようになっている。説明すると、このスイッチ３１０は、幹線電源３０５、例えばＡＣ１１０ＶまたはＡＣ２２０Ｖからの電力を切り換える。当然ながら、スイッチ３１０により、他の電力タイプまたは電源を切り換えてもよい。
【００１４】
切り換え電力と称されるスイッチ３１０からの出力が、直接制御モジュール３４０に給電される。これとは異なり、この切り換え電力は電源コンセント３３０に供給してもよく、このコンセントは例えば図２に示されるような切り換え電源コンセント２３０に類似する壁切り換え電源コンセントとすることができる。図３にはオプションの切り換え電源コンセント３３０が点線で示されている。切り換え電力を受ける制御モジュール３４０は、光源、または光源３２０を含むか、またはこれを収納する照明設備に接続されている。説明すれば、制御モジュール３４０は光源ではなく、照明設備にねじ込むように、照明設備に取り付け可能になっている。次に光源は、制御モジュール３４０に取り付け可能、例えばこのモジュールにねじ込まれるので、簡単に設置を行うことができる。
【００１５】
制御モジュール３４０は、スイッチ３１０とは別個に、このモジュールに接続されたライト３２０（単数または複数）を制御するようになっている。例えばライト３２０は、スイッチ３１０によってオンにされ、このスイッチ３１０は、元々の照明システムに含まれる元々のスイッチとすることができる。制御モジュール３４０は、例えばリモコン３５０によって制御でき、制御モジュール３４０とリモコン３５０とは、任意の通信リンク、例えば有線リンクまたは無線リンクを介してリンクもしくは通信できる。当然ながら、無線通信は制御モジュール３４０をリンク３５０および／または別のスイッチに接続するのに配線を調節する必要はないので、無線通信のほうがより便利である。この無線通信は、任意の適当な手段、例えば無線周波数（ＲＦ）、赤外線（ＩＲ）、ソナー、光学的手段などにより行うことができる。例えば短距離無線プロトコル、例えばブルートゥース、ジグビー、Ｚウェーブ、Ｘ１０などを使用できる。
【００１６】
当然ながら、これまでの説明に関連し、通信技術に精通する者であれば、コントローラおよび／またはライトユニット内に種々の要素、例えば送信機、受信機またはトランシーバ、アンテナ、変調器、復調器、変換器、デュプレクサ、フィルイタ、マルチプレクサなどを設けることができることは明らかであるが、これら要素については本システムおよび方法の説明を不明瞭にすることがないよう、これ以上説明しない。コントローラおよび／またはライトユニットは、プロセッサおよび／またはメモリを含むことができ、この場合、プロセッサは、例えばメモリ内に記憶された命令を実行し、メモリは、光源から発せられる光の属性を変えるように制御できる光源の場合、設定、例えば強度（すなわちディミング機能）、カラー色相、飽和度、ビーム幅、向き、色温度、混合カラーなどのプログラム可能なグループを含む、光源の制御に関連する他のデータ、例えば所定の、またはプログラム可能な設定も記憶できる。当然ながら、複数のグループに対し、または１つのグループ内の複数の照明ユニットに対し、所望するカラー属性は同じでもよいし、または異なっていてもよい。すなわち個々のライトユニットは単一グループ内にあっても、所望する異なる属性の光を発生できる。同じように、２つ以上の異なるグループに同じライトユニットが属していてもよいし、どのグループが制御されているかに応じ、この同じライトユニットは、異なる属性の光を発生できる。すなわちグループ１内で制御されるとき、またはグループ１と共に制御されるときは、属性１の光を発生し、グループ２内で制御されるとき、またはグループ２と制御されるときは、属性２の光を発生できる。当然ながら、グループ１とグループ２の双方が制御されており、よって異なる光の属性を同時に発生するのに同じ光を必要とするような競合がある場合には、これをユーザーに通知したり、または競合が生じた場合に一方の属性が他方の属性よりも優先されるような所定の階層的な構造または他の構造を設けてもよい。
【００１７】
照明システム３００の種々のコンポーネントは、例えば有線リンクまたは無線リンクを含む任意のタイプのリンクにより（システムコントローラ３６０を含んで）互いに作動的に結合できる。例えばスイッチ３６０は切り換え電力を給電するように自己のリモコンによって無線制御できる。更にリモコン３５０とは別に、またはリモコン３５０に加えて、別のユニットが制御モジュール３４０と通信し、制御モジュール３４０を制御してもよい。かかる別のユニットは、次のユニット、すなわちパーソナルデジタルアシスタント（ＰＤＡ）、携帯電話、ラップトップ、すなわちパソコンなどのうちの１つ以上とすることができ、これらユニットは、システムコントローラ３６０および／またはリモコン３５０として作動してもよいし、これらコントローラとして作動するようにプログラムしてもよい。
【００１８】
発光ダイオード（ＬＥＤ）は、変化するカラー、強度、色相、飽和度およびその他の属性を光に与えるように構成できるので、変化する属性の光を制御しながら発生するのに特に良好に適した光源となっており、種々の光の属性を制御し、調節するための電子駆動回路を一般に有する。しかしながら、種々の属性、例えば種々の強度レベル、異なるカラー、色相、飽和度などの光を発生できる制御可能な光源、例えば白熱ライト、蛍光ライト、ハロゲンライトまたは高強度放電（ＨＩＤ）ライトなどを使用でき、これら光源は、バラストまたは種々の光の属性を制御するためのドライバーを有することができる。
【００１９】
本照明システムおよび方法を更に理解するように、次のようなシナリオについて説明する。部屋の中で、制御モジュール３４０に接続されたライト３２０（単数または複数）は、スイッチ３１０によってＯＮにされるが、後に制御ユニット３４０により、例えばリモコン３５０の制御により、ＯＦＦにされると仮定する。この場合、スイッチ３１０はＯＮ位置にあるので、制御モジュール３４０に切り換え電力を給電するが、ライト３２０はオフのままである。部屋が暗いときにユーザーが部屋に入り、ライトをオンにしたがっていると仮定する。ユーザーは一般にライトスイッチが設けられているドアの近くの壁に触れ、（例えば暗い中にある）ライトスイッチ３１０を探す。
【００２０】
ユーザーは壁のスイッチ３１０を探し、ライト３０２をオンにするよう、スイッチ３１０を切り換える。壁スイッチ３１０の前の状態はＯＮであったので、壁推知３１０を切り換えると、切り換え電力はオフとなり、電力は遮断されるか、またはインテリジェント制御モジュール３４０の電源はオフとなる。当然ながらライトはオンにならない。恐らく混乱しているユーザーはスイッチ３１０を再び切り換えるであろう。このような切り換え工程は、ライトがオンになることを予想してスイッチを切り換えても、ライトがまだオンにならないときにとられる、このようなシナリオにおける代表的な反応である。
【００２１】
インテリジェントライトスイッチまたは制御モジュール３４０は、ユーザーがライトをオンにしたい意図を認識し、ライト３２０をオンにする。かかる反応、すなわち制御モジュール３４０の認識は、１つ以上のパラメータ、例えば所定の時間内の２回以上、例えば２回のスイッチ３１０の切り換えシーケンスに基づくことができる。良好な結果が得られるように、この切り換えシーケンスパラメータ（例えば短時間における２回の切り換え）を、次のような他の１つ以上のパラメータと組み合わせることができる。
【００２２】
（ａ）ユーザーが部屋に入ってライト３２０をオンにしたいときのスイッチ３１０の最初の切り換えによる制御モジュール３４０の電力の遮断／スイッチオフの時間。任意の適当な電力の遮断時間を使用でき、この時間は所定の長さおよび／またはプログラム可能とすることができる。例えば所定の制御モジュール３４０の電力遮断時間を１００ミリ秒（ｍｓ）から１秒までの間にすることができる。
【００２３】
照明システムの外部の理由により、例えば落雷によって幹線電源３０５が短時間停電したことにより、短時間停電した場合のオフ時の過渡現象などの電力グリッチだけでなく、過渡現象のサージまたはスパイク、および／または制御モジュール３４０から電力を除くよう、スイッチ３１０を意図的にオフに切り換えた状況を除くのに、かかる時間が適当である（または別の時間も使用できる）。
【００２４】
従って、この時間内にスイッチ３１０の切り換えシーケンス、例えば２回以上の切り換えが検出されると、制御モジュール３４０はライト３２０をオンに切り換える。切り換えシーケンスがスイッチ３１０をＯＦＦ位置のままにし、よって制御モジュール３４０への電力をカットする場合、制御モジュール３４０または他のコンポーネント、例えばシステムコントローラ３６０は、（スイッチ３１０が遠隔制御されるようになっている場合）スイッチ３１０を作動し、制御モジュール３４０に切り換え電力を給電し、よって制御モジュール３４０はこの切り換え電力をライト３２０に給電し、よってライト３２０をオンにする。
【００２５】
（ｂ）互いに通信状態にあるか、またはシステムコントローラ３６０によってモニタされている複数の制御モジュール３４０’、３４０”のうちの１つの制御モジュール３４０だけをオンオフに切り換え、一方、他のモジュールはオンオフの切り換えをしないようにすること。これによって電力低下を防止でき、このことは、すべての制御モジュールへの電力をカットオフすることになる。当然ながら上記の方法とは別に、または上記の方法に加え、システムコントローラ３６０および／または制御モジュール３４０により、電力低下または給電停止を判断するように、幹線電源３０５からの電力をモニタしてもよい。
【００２６】
（ｃ）ユーザーが部屋に入ったときにスイッチ３１０を切り換える際に、暗くなっているということ。制御モジュール３４０および／またはシステムコントローラ３６０と（有線または無線で）通信しているセンサ３８０を使用し、暗いことを検出できる。このセンサ３８０は、制御モジュール３４０および／またはシステムコントローラ３６０と一体化してもよい。当然ながら（部屋が暗くなくても）ＯＦＦ状態を部屋が暗いとして解釈する場合に、光源３２０の状態を検出できる。より詳細に説明すれば、かかる解釈はユーザーの正しい意図に応じやすい。すなわち（部屋が暗いか、または暗くないかに応じて）ライトをオンにしやすい。
【００２７】
従って、本システムおよび方法は、ユーザーがライトをオンにしたいのか、使用としているかの結論に基づき、例えばデフォルト設定、例えばデフォルト強度などでライトをオンに切り換える。
【００２８】
本明細書の説明を検討すれば、当業者に認識できるような種々の変形例も提供できる。メモリ３８０は、アプリケーションデータだけでなく他のデータを記憶するための任意のタイプのデバイスとすることができる。アプリケーションデータおよび他のデータは、本システムおよび方法に従って作動するように、システムコントローラ３６０またはプロセッサ３７０によって受信される。
【００２９】
本方法のオペレーション上の動作は、コンピュータソフトウェアプログラム、例えば方法の個々のステップまたは動作に対応するモジュールを含むことが好ましい、コンピュータソフトウェアプログラムにより特に実行されるようになっている。当然ながら、かかるソフトウェアは、コンピュータで読み取り可能なメディア、例えば集積チップ、周辺デバイスまたは、例えばコントローラ３６０のプロセッサ３７０または光モジュール３４０のプロセッサに結合されたメモリ３８０または他のメモリで具現化できる。
【００３０】
コンピュータで読み取り可能なメディアおよび／またはメモリ３８０は、任意の記録可能なメディア（例えばＲＡＭ、ＲＯＭ、取り外し自在なメモリ、ＣＤ−ＲＯＭ、ハードドライブ、ＤＶＤ、フロッピー（登録商標）ディスクまたはメモリカード）でもよいし、または伝送媒体（例えば光ファイバー、ワールドワイドウェブ、ケーブルを含むネットワークおよび／または例えば時間分割多元アクセス、符号分割多元アクセスまたは他の無線通信システムを使用する無線チャンネル）でよい。コンピュータシステムと共に使用するのに適した情報を記憶できる公知の、または開発された任意のメディアをコンピュータで読み取り可能なメディアおよび／またはメモリ３８０として使用できる。
【００３１】
追加メモリも使用できる。コンピュータで読み取り可能なメディア、メモリ３８０および／または他の任意のメモリを長期メモリ、短期メモリまたは長期メモリと短期メモリとの組み合わせとすることができる。これらメモリは、本明細書に開示した方法、オペレーション上の動作および機能を実施するように、プロセッサ３７０を構成する。これらメモリは、分散型でもよいし、ローカル型でもよいし、追加プロセッサを設けることができるプロセッサ３７０も、分散型でもよいし、ローカル型でもよい。メモリは電気、磁気または光メモリとして構成してもよいし、またはこれらタイプまたはその他のタイプの記憶デバイスの任意の組み合わせとすることができる。更に、メモリなる用語は、プロセッサがアクセスするアドレス指定可能なスペース内のアドレスに書き込んだり、またはアドレスから読み出しできる任意の情報を含むのに十分広義に理解すべきである。この定義によれば、例えば、プロセッサ３７０はネットワークから情報を検索できるので、メモリ３８０にはネットワーク上の情報も存在する。
【００３２】
プロセッサ３７０およびメモリ３８０は、米国特許出願第2003/0057887号に記載されているような任意のタイプのプロセッサ／コントローラおよびメモリとすることができ、本明細書では、この米国特許出願全体を参考例として援用する。このプロセッサ３７０は、スイッチ３１０の切り換えシーケンスの検出に応答して制御信号を発生し、および／または作動を実行し、および／またはメモリ３８０に記憶された命令を実行できるようにする。このプロセッサ３８０は、アプリケーション特定集積回路または汎用集積回路でもよい。更にプロセッサ３８０は、本システムに従って作動するための専用のプロセッサでもよいし、または本発明に従って多くの機能のうちの１つしか実行されないような汎用プロセッサでもよい。このプロセッサは１つのプログラム部分、多数のプログラムセグメントを利用して作動してもよいし、または専用または汎用集積回路を利用するハードウェアデバイスでもよい。ユーザーの存在またはアイデンティティを識別するように利用される上記システムの各々は、別のシステムと共に組み合わせて使用できる。
【００３３】
当然ながら、上記実施形態またはプロセスのうちの任意の１つを、他の１つの実施形態またはプロセスと組み合わせるか、または他の１つ以上の実施形態またはプロセスと組み合わせ、ユーザーを探し、特定のパーソナリティとマッチングさせ、適当な推奨を提供する上で更に改善することも可能であると理解すべきである。
【００３４】
最後に、これまでの説明は単に本システムを説明するためのものであり、特許請求の範囲を特定の実施形態または実施形態のグループに限定するものと解してはならない。従って、本発明の特定の実施形態を参照し、本システムについて特に詳細に説明したが、当業者であれば、特許請求の範囲の記載を本システムのより広義の意図する要旨から逸脱することなく、多数の変形および別の実施形態を想到できることも理解すべきである。従って、本明細書および添付図面は、単に説明のためのものと理解すべきであり、特許請求の範囲を限定するものではない。
【００３５】
特許請求の範囲の解釈にあたり、次のように理解すべきである。
ａ）「含む」または「備える」なる単語は、所定の請求項に記載されたもの以外の他の要素または工程が存在することを排除するものではない。
ｂ）要素に先行する「１つの」または「ある」なる単語は、かかる要素が複数存在することを排除するものではない。
ｃ）請求項に記載した参照符号は、発明の範囲を限定するものではない。
ｄ）いくつかの「手段」なる用語は、同一のアイテムまたはハードウェアもしくはソフトウェアで実現される構造または機能によって表示できる。
ｅ）開示した要素のいずれかは、（例えばディスクリート電子回路および集積電子回路を含む）ハードウェア部分、ソフトウェア部分（例えばコンピュータプログラム）およびそれらの任意の組み合わせから構成できる。
ｆ）ハードウェア部分は、アナログ部分およびデジタル部分の一方または双方から構成できる。
ｇ）特に記載しない限り、開示したデバイスまたはデバイスの一部のいずれかは、一体に組み合わせてもよいし、別の部分に分離してもよい。
ｈ）特に表示しない限り、工程またはステップの特定のシーケンスは不要である。
【図面の簡単な説明】
【００３６】
【図１】代表的な照明システムを示す。
【図２】代表的な別の照明システムを示す。
【図３】一実施形態にかかわる照明システムを示す。
【符号の説明】
【００３７】
３００    照明システム
３０５    入力電力
３１０    スイッチ
３２０    光源
３４０    制御モジュール
【図１】
2009536779.tif 000003
【図２】
2009536779.tif 000004
【図３】
2009536779.tif 000005
【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
光源（３２０）と、
入力電力（３０５）を受け、切り換え電力を給電するように構成されたスイッチ（３１０）と、
前記切り換え電力を受け、前記光源（３２０）を制御するようになっている制御モジュール（３４０）とを備え、前記制御モジュール（３４０）は、前記光源（３２０）がオフになっているときに、更に所定の時間内の前記スイッチ（３１０）の２回以上の切り換えに応答し、前記光源（３２０）に前記切り換え電力を給電するようになっている照明システム（３００）。
【請求項２】
前記所定の時間は、１００ｍｓ〜１秒の間である、請求項１に記載の照明システム（３００）。
【請求項３】
前記所定の時間は、前記入力電力（３０５）を遮断する電力グリッチを除去するのに適している、請求項１に記載の照明システム（３００）。
【請求項４】
前記制御モジュール（３４０）は、前記光源（３２０）および前記スイッチ（３１０）のうちの少なくとも一方の環境が照明を減少させたときに、更に前記光源（３２０）への前記切り換え電力を給電するようになっている、請求項１に記載の照明システム（３００）。
【請求項５】
前記照明の減少を検出するようになっているセンサ（３８０）を更に備える、請求項４に記載の照明システム（３００）。
【請求項６】
前記制御モジュール（３４０）は、前記入力電力（３０５）が連続してオンのままになっているときに、更に前記光源（３２０）への前記切り換え電力を給電するようになっている、請求項１に記載の照明システム（３００）。
【請求項７】
前記制御モジュール（３４０）は、少なくとも１つの追加制御モジュール（３４０’）が別の切り換え電力から給電される電力を連続的に受けているときに、前記切り換え電力を前記光源（３２０）へ給電するようになっている、請求項１に記載の照明システム（３００）。
【請求項８】
前記制御モジュール（３４０）および前記少なくとも１つの追加制御モジュール（３４０’）の電力入力をモニタするようになっているシステムコントローラ（３６０）を更に含む、請求項７に記載の照明システム（３００）。
【請求項９】
前記光源（３２０）をオンオフに切り換えるように、前記制御モジュール（３４０）を制御するようになっているリモコン（３５０）を更に備える、請求項１に記載の照明システム（３００）。
【請求項１０】
光源（３２０）と、
前記切り換え電力を受け、前記光源（３２０）を制御するようになっている制御モジュール（３４０）とを備え、前記制御モジュール（３４０）は、前記光源（３２０）がオフになっているときに、更に所定の時間内のスイッチ（３１０）の順次の切り換えに応答し、前記光源（３２０）に前記切り換え電力を給電するようになっている照明システム（３００）。
【請求項１１】
前記スイッチ（３１０）は、入力電力（３０５）を受け、前記切り換え電力を給電するようになっている、請求項１０に記載の照明システム（３００）。
【請求項１２】
前記所定時間は、１００ｍｓ〜１秒の間である、請求項１０に記載の照明システム（３００）。
【請求項１３】
前記所定の時間は、前記入力電力（３０５）を遮断する電力グリッチを除去するのに適している、請求項１０に記載の照明システム（３００）。
【請求項１４】
前記制御モジュール（３４０）は、前記光源（３２０）および前記スイッチ（３１０）のうちの少なくとも一方の環境が照明を減少させたときに、更に前記光源（３２０）への前記切り換え電力を給電するようになっている、請求項１０に記載の照明システム（３００）。
【請求項１５】
前記照明の減少を検出するようになっているセンサ（３８０）を更に備える、請求項１４に記載の照明システム（３００）。
【請求項１６】
前記制御モジュール（３４０）は、前記入力電力（３０５）が連続してオンのままになっているときに、更に前記光源（３２０）への前記切り換え電力を給電するようになっている、請求項１０に記載の照明システム（３００）。
【請求項１７】
前記制御モジュール（３４０）は、少なくとも１つの追加制御モジュール（３４０’）が別の切り換え電力から給電される電力を連続的に受けているときに、前記切り換え電力を前記光源（３２０）へ供給するようになっている、請求項１０に記載の照明システム（３００）。
【請求項１８】
前記制御モジュール（３４０）および前記少なくとも１つの追加制御モジュール（３４０’）の電力入力をモニタするようになっているシステムコントローラ（３６０）を更に含む、請求項１７に記載の照明システム（３００）。
【請求項１９】
前記光源（３２０）をオンオフに切り換えるように、前記制御モジュール（３４０）を制御するようになっているリモコン（３５０）を更に備える、請求項１０に記載の照明システム（３００）。
【請求項２０】
所定の時間内にスイッチ（３１０）を２回切り換える工程と、
前記光源（３２０）がオフになっているときに、前記切り換え工程に応答し、光源（３２０）に給電する工程とを備える、光源を制御する方法。
【国際調査報告】
2009536779.tif 000006
2009536779.tif 000007
2009536779.tif 000008